(57)【要約】【課題】生理学的サンプル中の分析物の決定における電気化学的試験片およびその使用方法を提供する。【解決手段】本発明の試験片は薄いスペーサー層により分離されている対向している各金属電極により定められている複数の反応領域を有している。各反応領域内に存在している試薬組成物は同一であってもよく、異なっていてもよい。加えて、各反応領域は分離している流体入口チャンネルを有することができ、あるいは、反応領域の内の２個以上が単一のチャンネルに併合しているそれぞれの流体入口チャンネルを有することもできる。本発明の電気化学的試験片は多様な種々の分析物の検出において適用でき、特にグルコースの検出における使用に適している。【選択図】　　　　図２
2004053363.tif 000002
【特許請求の範囲】
【請求項１】
電気化学的試験片において、
（ａ）スペーサー層により分離されている対向している作用電極および基準電極により定められている複数の反応領域、および
（ｂ）前記反応領域のそれぞれの中に存在している試薬組成物を備えている電気化学的試験片。
【請求項２】
生理学的サンプル中の分析物の濃度を決定する方法において、
（ａ）前記生理学的サンプルをスペーサー層により分離されている対向している作用電極および基準電極により定められている複数の反応領域および当該反応領域のそれぞれの中に存在している試薬組成物を備えている電気化学的試験片に供給する工程、
（ｂ）前記反応領域における電気的信号を前記金属製の各電極により検出する工程、および
（ｃ）前記検出した電気的信号を前記サンプル中の分析物の量に関係付ける工程を含む方法。
【請求項３】
生理学的サンプル中の分析物の濃度を決定する場合に使用するためのキットにおいて、
（ａ）スペーサー層により分離されている対向している作用電極および基準電極により定められている複数の反応領域および当該反応領域のそれぞれの中に存在している試薬組成物を備えている電気化学的試験片、および
（ｂ）（ｉ）前記生理学的サンプルを得るための手段、および
（ｉｉ）分析物の標準物の少なくとも一方、を備えているキット。
【請求項４】
生理学的サンプル中の分析物の濃度を決定する場合に使用するためのシステムにおいて、
（ａ）スペーサー層により分離されている対向している作用電極および基準電極により定められている複数の反応領域および当該反応領域のそれぞれの中に存在している試薬組成物を備えている電気化学的試験片、および
（ｂ）メーターを備えているシステム。
【発明の詳細な説明】
【０００１】
【発明の属する技術分野】
本発明の分野は分析物の決定であり、特に電気化学的な分析物の決定であり、さらに特に血液分析物の電気化学的な決定である。
【０００２】
【従来の技術】
例えば、血液または血液から誘導される生成物等の生理流体における分析物検出は今日の社会に対して重要性を常に高めつつある。分析物の検出アッセイは臨床的な実験室における試験、家庭における試験等を含む種々の用途において有用であることが知られており、このような試験の結果は種々の病状における診断および管理において傑出した役割を果たしている。関連の分析物は糖尿病の管理におけるグルコース、コレステロール等を含む。このような高まりつつある分析物検出の重要性に呼応して、臨床的および家庭用の両方の用途における種々の分析物の検出プロトコルおよび装置が開発されてきた。
【０００３】
分析物検出において採用されている方法の一例は電気化学的方法である。これらの方法においては、水性の液体サンプルが２個の電極、すなわち、基準電極および作用電極を備えている電気化学的セル内の反応領域の中に置かれ、この場合の各電極はこれらを電流測定による測定に適した状態にする一定のインピーダンスを有している。分析される成分は電極に対して直接的に反応するか、レドックス（ｒｅｄｏｘ）試薬に対して直接的または間接的に反応して分析される成分、すなわち、分析物の濃度に対応する一定の量で酸化可能（または還元可能）な物質を形成することが可能になる。その後、この存在している酸化可能（または還元可能）な物質の量が電気化学的に推定されて、初期的なサンプルにおいて存在している分析物の量に関連付けられる。
【０００４】
【発明が解決しようとする課題】
電気化学に基づく各検出プロトコルの広い用途により、この領域における新規な装置および方法の認識に関心が寄せ続けられている。
【０００５】
関連の文献
　関連の米国特許文書は米国特許第５，２６９，８９１号、同第５，８３０，１７０号、同第５，８３４，２２４号、同第５，９４２，１０２号および同第５，９７２，１９９号を含む。別の関連の特許文書はＰＣＴ国際公開第ＷＯ　９９／４９３０７号、同第ＷＯ　９７／１８４６５号および英国特許第２３０４６２８号を含む。別の関連の文献はＤａｌｍｉａ他のＪ．　Ｅｌｅｃｔｒｏａｎａｌｙｔｉｃａｌ　Ｃｈｅｍｉｓｔｒｙ（１９９７年）４３０：２０５頁乃至２１４頁、Ｎａｋａｓｈｉｍａ他のＪ．　Ｃｈｅｍ．　Ｓｏｃ．（１９９０年）１２：８４５頁乃至８４７頁、およびＰａｌａｃｉｎ他のＣｈｅｍ．　Ｍａｔｅｒ．（１９９６年）８：１３１６頁乃至１３２５頁を含む。
【０００６】
【課題を解決するための手段】
生理学的サンプル中の分析物の検出における電気化学的試験片およびこれらの使用方法が提供される。本発明の試験片は薄いスペーサー層により分離されている対向している金属電極により定められている複数の反応領域を有している。各反応領域内に存在している各試薬成分は同一であってもよく、異なっていてもよい。加えて、各反応領域は別々の流体入口チャンネルを有することができ、あるいは、２個以上の反応領域が単一のチャンネルに併合している流体入口チャンネルを有することもできる。本発明の電気化学的な試験片は多様な種類の分析物の検出において適用可能であることが見出されており、特に、グルコースの検出における使用に適している。
【０００７】
【発明の実施の形態】
生理学的サンプル中の分析物の検出における電気化学的試験片およびこれらの使用方法を提供する。本発明の試験片は薄いスペーサー層により分離されている対向している各金属電極により定められている複数の反応領域を有している。各反応領域に存在している各試薬成分は同一であってもよく、異なっていてもよい。加えて、各反応領域は別々の流体入口チャンネルを有することができ、あるいは、２個以上の反応領域が単一のチャンネルに併合している流体入口チャンネルを有することもできる。本発明の電気化学的な試験片は多様な種類の分析物の検出において適用可能であることが見出されており、特に、グルコースの検出における使用に適している。
【０００８】
本発明をさらに説明する前に、本発明が以下に説明する本発明の特定の各実施形態に制限されないこと、およびこれらの特定の実施形態の変形例が本明細書において記載されている特許請求の範囲内において作成可能であり当該範囲内に依然として含まれることが理解されると考える。また、使用している用語が特定の実施形態を説明することを目的としており、これらを制限することを目的としていないことも理解されると考える。その代わりに、本発明の範囲は本明細書において記載されている特許請求の範囲により確立される。
【０００９】
本明細書および本明細書において記載されている特許請求の範囲において、単一の表示はその内容が特別に明らかに示さない限り複数の表示を含む。また、特別に定めない限り、本明細書において使用されている全ての技術的および科学的な用語は本発明が属している技術分野における通常の熟練者において一般的に理解されている意味と同一の意味を有する。
【００１０】
電気化学的試験片
上記において要約したように、本発明の電気化学的試験片は複数の反応領域を有していることにより特徴付けられる。特に、本発明の電気化学的試験片は薄いスペーサー層により分離されている２個の対向している金属電極により構成されており、これらの部品は複数の別個の反応領域または区域、すなわち、チャンバーを定めており、このチャンバー内に試薬システムが配置されている。本発明の電気化学的試験片は複数の反応領域を有しており、これらは少なくとも２個の異なる反応領域を含み、特定の実施形態においては、少なくとも３個乃至５個の異なる反応領域を含む。本発明による電気化学的試験片における異なる反応領域の数は、多くの実施形態において、一般に約２個乃至２５個、通常的に約２個乃至１５個、さらに通常的に約２個乃至１０個の範囲内である。上記試験片の異なる反応領域は、一般に、当該試験片において任意の好都合な様式で配列できるが、多くの実施形態において、これらは、代表的な図２において示されているように、試験片の一端部に対して平行に且つ基端側に配列されている。図２において、電気化学的試験片２０は、チャンネルとして示されている、複数の反応領域２２を有している。このことは単一の反応領域１１を有している図１において示されているような従来技術の電気化学的試験片に対して対照的である。
【００１１】
上記において要約したように、本発明の試験片は当該試験片における複数の反応領域または区域を定めるように構成されているスペーサー層により分離されている作用電極および基準電極により構成されている。次に、上記の各構成要素、すなわち、作用電極および基準電極、スペーサー層および反応領域を詳細に別々に説明する。
【００１２】
各電極
上記において示したように、本発明の電気化学的試験片は作用電極および基準電極を備えている。一般に、これらの作用電極および基準電極は細長い長方形の部材片の形態で構成されている。一般的に、各電極の長さは約１．９ｃｍ乃至５．５ｃｍ、通常的に約２ｃｍ乃至４．０ｃｍの範囲内である。また、各電極の幅は約０．２０ｃｍ乃至約１．０ｃｍ、通常的に約０．３１ｃｍ乃至約０．６７ｃｍの範囲内である。さらに、各電極は一般的に約１０ｎｍ乃至３００ｎｍ、通常的に約１３ｎｍ乃至６０ｎｍの範囲内の金属厚を有している。
【００１３】
上記の作用電極および基準電極はさらに少なくとも上記試験片内の反応領域に面しているこれらの電極における表面部分が金属であるということを特徴としており、この場合に、関連の金属はパラジウム、金、プラチナ、銀、イリジウム、炭素、ドーピングしたイリジウム−酸化錫、ステンレス・スチール、ニクロム等を含む。多くの実施形態において、上記金属は金またはパラジウムである。原理的に上記電極の全体が金属により作成可能であるが、各電極は一般に不活性な支持材料により構成されており、この材料の表面に各電極の金属成分の薄い層が存在している。これらのさらに一般的な実施形態において、上記不活性な支持材料の厚さは一般的に約５１μｍ乃至３５６μｍ、通常的に約２５μｍ乃至２５４μｍの範囲内であり、上記金属層の厚さは一般的に、例えば、スパッター処理した金属層等の約１０ｎｍ乃至１５０ｎｍ、通常的に約１５ｎｍ乃至６０ｎｍの範囲内である。本発明の各電極において任意の従来的な不活性な支持材料が使用可能であり、一般的に、この材料は各電極、さらに、全体としての電気化学的試験片に対して構造的な支持を行なうことのできる剛性材料である。このような支持体として使用できる適当な材料は、例えば、ＰＥＴ、ＰＥＴＧ、ポリイミド、ポリカーボネート、ポリスチレン等のプラスチック、およびシリコン、セラミック、ガラス等を含む。
【００１４】
上記の作用電極および基準電極は任意の従来的なプロトコルにより製造できる。代表的なプロトコルは先ず上記不活性な支持材料の上に十分な厚さの上記金属層をスパッターリングすることにより各金属電極を調製することを含む。
【００１５】
スペーサー層
本発明の電気化学的試験片の特徴は上記の作用電極および基準電極が互いに対向していて、僅かな距離だけ分離しており、この電気化学的試験片における反応領域内または区域内の作用電極と基準電極との間の距離が極めて短いことである。このような本発明の試験片における作用電極と基準電極との間の最小の間隔により、当該作用電極と基準電極との間に配置されるまたは挟まれる薄いスペーサー層が存在することになる。この薄いスペーサー層の厚さは一般に約１２μｍ乃至５００μｍ、通常的に約５０μｍ乃至１５３μｍの範囲内である。
【００１６】
本発明の試験片の特徴は上記スペーサー層が上述したような複数の反応領域または区域を提供するように切断されていることであり、この場合の各反応領域は当該反応領域の中に通じている少なくとも１個の入口ポートまたは入口チャンネル、および一般的に当該反応領域の外に通じている１個の出口ポートまたは出口チャンネルも有しており、これらのチャンネルは各反応領域の内部と試験片の外部環境との間を流体を介して連絡している。図２乃至図４において示されている各試験片のスペーサー層は反応領域、入口および出口の各チャンネルとして作用する直線状の各チャンネルを提供しているが、例えば、側方の入口および出口の各孔またはポートを伴う円形の反応領域の切断部分等の別の形状、ならびに、例えば、正方形、三角形、長方形、さらに不規則な形状の反応領域等の別の形態も可能である。上記スペーサー層は任意の従来的な材料により製造可能であり、この場合の代表的な適当な材料はＰＥＴ、ＰＥＴＧ、ポリイミド、ポリカーボネート等を含み、この場合のスペーサー層の表面はそれぞれの電極に対して接着性を示し、これにより上記電気化学的試験片の構造が維持できるように処理することが可能である。特に重要なことは上記スペーサー層としての打ち抜きした両面接着片の使用である。
【００１７】
反応領域
上述したように、本発明の電気化学的試験片は上記の作用電極、基準電極およびスペーサー層により定められる複数の反応領域または区域を含み、これらの構成要素は既に説明されている。特に、上記の作用電極および基準電極は各反応領域の上部および下部を定めており、上記スペーサー層はその反応領域の各壁部を定めている。この反応領域の容積は少なくとも約０．１μｌ、通常的に少なくとも約０．３μｌ、さらに通常的に少なくとも約０．５μｌであり、この場合の容積は１０μｌ以上の大きさにすることも可能である。上述したように、各反応領域は一般に少なくとも１個の入口ポート（入口チャンネル）を有しており、多くの実施形態において、１個の出口ポート（出口チャンネル）も有している。これらの入口ポートおよび出口ポートの断面積は上記反応領域に対する流体の有効な流入または流出を行なう程度に十分に大きい範囲内で変更可能であるが、一般に約９×１０−５ｃｍ２　乃至５×１０−３ｃｍ２　、通常的に約１．３×１０−３ｃｍ２　乃至２．５×１０−３ｃｍ２　の範囲内である。
【００１８】
本発明の特定の実施形態において、各反応領域または区域は別個の入口チャンネルおよび出口チャンネルを有している。従って、これらの実施形態における異なる入口チャンネルの数はその試験片における異なる反応領域の数に等しい。さらに別の実施形態において、２個以上の入口チャンネルがその試験片から出る前に単一のチャンネルに併合可能であり、流体が単一の流入ポートから２個以上の異なる反応領域の中に導入できる。言い換えれば、単一の入口チャンネルが試験片における異なる反応領域の中に通じている２個以上の副次的なチャンネルに分枝可能である。このような本発明の試験片における上記スペーサー層は、例えば、分離または併合している各チャンネルを含む所望の入口チャンネルのパタンを備えるように設計される。
【００１９】
上記の各反応領域の中に試薬組成物または試薬システムが存在しており、この場合の試薬システムはその試験片による分析物検出に対して必要なまたは望ましいシステムである。例えば、多数回使用型の試験片のような、特定の実施形態において、上記試薬システムはその試験片における異なる反応領域の全てにおいて同一である。また、例えば、試験片が一定区画内のまたは複数の異なる分析物に対する同時的なアッセイ（定量）のために使用される場合のような、別の実施形態においては、上記試薬組成物は異なる反応領域または区域の間において異なる。言い換えれば、少なくとも２種類の異なる試薬組成物が試験片における異なる反応領域の中において存在しており、これらの異なる試薬組成物の数はその試験片における異なる反応領域または区域の数と同程度の大きさであると考えられる。
【００２０】
多くの実施形態において、上記試薬組成物の少なくとも１種類はレドックス試薬システムであり、この試薬システムは電極により検出されるそれぞれの種に対応しており、それゆえ、生理学的サンプル中の分析物濃度を導き出すために使用される。上記反応領域内に存在しているレドックス試薬システムは一般的に少なくとも１種類以上の酵素および媒介物質を含む。多くの実施形態において、このレドックス試薬システムにおける酵素成分は協力して関連の分析物を酸化するために作用する１種類の酵素または複数の酵素である。言い換えれば、上記レドックス試薬システムにおける酵素成分は単一の分析物酸化性酵素または関連の分析物を協力して酸化するために作用する２種類以上の酵素の集合物により構成されている。関連の酵素はオキシダーゼ、デヒドロゲナーゼ、リパーゼ、キナーゼ、ジアホラーゼ、キノンタンパク質等を含む。
【００２１】
上記反応領域において存在している特定の酵素は上記電気化学的試験片が検出するように設計されている特定の分析物により決まり、この場合の代表的な酵素はグルコース・オキシダーゼ、グルコース・デヒドロゲナーゼ、コレステロール・エステラーゼ、コレステロール・オキシダーゼ、リポタンパク質リパーゼ、グリセロール・キナーゼ、グリセロール−３−ホスフェート・オキシダーゼ、ラクテート・オキシダーゼ、ラクテート・デヒドロゲナーゼ、ピルベート・オキシダーゼ、アルコール・オキシダーゼ、ビリルビン・オキシダーゼ、ウリカーゼ等を含む。関連の分析物がグルコースである多くの好ましい実施形態において、上記レドックス試薬システムにおける酵素成分は、例えば、グルコース・オキシダーゼまたはグルコース・デヒドロゲナーゼ等のグルコース酸化性酵素である。
【００２２】
上記レドックス試薬システムにおける第２の成分は媒介物質成分であり、この成分は１種類以上の媒介物質により構成されている。種々の異なる媒介物質が当業界において知られており、フェリシアニド、フェナジン・エトサルフェート、フェナジン・メトサルフェート、フェニレンジアミン、１−メトキシ−フェナジン・メトサルフェート、２，６−ジメチル−１，４−ベンゾキノン、２，５−ジクロロ−１，４−ベンゾキノン、フェロセン誘導体、オスミウム−ビピリジル錯体、ルテニウム錯体等を含む。なお、グルコースが関連の分析物であり、グルコース・オキシダーゼまたはグルコース・デヒドロゲナーゼが上記酵素成分である実施形態において、特定の関連の媒介物質はフェリシアニドである。さらに、上記反応領域内において存在できる別の試薬は、例えば、シトラコン酸塩、クエン酸塩、リン酸塩、「Ｇｏｏｄ」緩衝液等の緩衝剤を含む。
【００２３】
上記レドックス試薬システムは一般に乾燥状態の形態で存在している。これらの種々の成分の各量は変更可能であり、この場合の酵素成分の量は一般的に約０．１重量％乃至１０重量％の範囲内である。
【００２４】
方法
さらに、本発明により、生理学的サンプル中の分析物、または一定区画の分析物の濃度を決定するための本発明の電気化学的試験片を使用する方法も提供される。種々の異なる分析物が本発明の試験片を使用することにより検出可能であり、この場合の代表的な分析物はグルコース、コレステロール、ラクテート、アルコール等を含む。多くの好ましい実施形態において、本発明の方法は生理学的サンプル中のグルコース濃度を決定するために採用される。原理的に本発明の方法は、尿、涙、唾液等のような、種々の異なる生理学的サンプル中の分析物の濃度を決定するために使用できるが、これらの方法は血液または血液フラクション中、特に全血中の分析物の濃度決定における使用に特に適している。
【００２５】
本発明の方法の実施において、第１の工程は一定量の生理学的サンプルを上記試験片における反応領域の少なくとも１個の中に導入することであり、この場合の電気化学的試験片は上方に存在している物（ｓｕｐｒａ）として説明されている。一般に、この試験片のエッジ部分から最も基端側の反応領域が最初に使用される。図５において、電気化学的試験片２６における接触部分２８は電気感知装置２７の中に挿入されて示されており、生理学的サンプルがこの試験片２６の最後の反応領域３０に供給される。
【００２６】
上記試験片の各反応領域の中に導入される、例えば、血液等の生理学的サンプルの量は変更可能であるが、一般に約０．１μｌ乃至１０μｌ、通常的に約０．３μｌ乃至１．６μｌの範囲内である。このサンプルは任意の従来的なプロトコルにより反応領域内に導入可能であり、この場合に、このサンプルは反応領域中に注入されて、適宜に、当該反応領域中に自然に浸透して保持される。
【００２７】
特定の実施形態において、上記試験片は連続的な分析物検出アッセイにおいて用いられる。これらの実施形態においては、サンプルは異なる時間に各反応領域中に導入される。
【００２８】
反応領域にサンプルを供給した後に、電気化学的な測定が上記の基準電極および作用電極により行なわれる。このようにして行なわれる電気化学的な測定はそのアッセイの特定の性質および上記電気化学的試験片が付随して採用される装置により、例えば、このアッセイが電量分析式（ｃｏｕｌｏｍｅｔｒｉｃ）、電流測定式（ａｍｐｅｒｏｍｅｔｒｉｃ）または電位測定式（ｐｏｔｅｎｔｉｏｍｅｔｒｉｃ）のいずれかであるかにより、変更可能である。一般に、上記の電気化学的な測定は、通常において上記反応領域中へのサンプルの導入後の一定の時間にわたる、電荷の測定（電量分析式）、電流の測定（電流測定式）または電位の測定（電位測定式）である。上記の電気化学的な測定を行なうための方法が米国特許第４，２２４，１２５号、同第４，５４５，３８２号、および同第５，２６６，１７９号、ならびに、ＰＣＴ国際公開第ＷＯ　９７／１８４６５号、同第ＷＯ　９９／４９３０７号においてさらに説明されており、これらの開示は本明細書に参考文献として含まれる。２個以上の反応領域が同時に使用される場合には、それぞれの異なるセルを電気的に分離するための手段が備えられる。
【００２９】
上記のような反応領域中に発生した電気化学的信号の検出に続いて、この反応領域中に導入されたサンプルにおいて存在している分析物の量が上記電気化学的信号を当該サンプル中の分析物の量に関係付けることにより決定される。この誘導を行なう場合に、測定した電気化学的信号が一般的に一連の既に得られている対照値または標準値から発生される信号に比較され、この比較により決定される。多くの実施形態において、上記の電気化学的信号測定の各工程および分析物濃度誘導の各工程は上記試験片に供給されるサンプル中の分析物濃度の値を生成するために当該試験片と共に動作するように設計されている一定の装置により自動的に行なわれる。使用者が反応領域にサンプルを供給して装置から最終的な分析物濃度結果を読み取ることだけが必要であるような上記各工程を自動的に実施するための代表的な読取装置、すなわち、メーターが１９９９年６月１５日に出願されている同時係属の米国特許出願第０９／３３３，７９３号においてさらに説明されており、この開示は本明細書に参考文献として含まれる。
【００３０】
また、各試験片の反応領域が異なるアッセイに用いられる場合において、使用済みの各反応領域を試験片の残りの部分から分離可能にすることが望まれる場合には、（この使用済みの反応領域を、）例えば、使用後に次の反応領域を使用する前に、試験片から切り離すことができる。このプロセスが図３および図４において示されており、この場合に、各使用済みの反応領域を次の反応領域の使用の前に除去するために切断部分２５が試験片に対して作成される。
【００３１】
システムおよびキット
さらに、本発明により、上記本発明の方法の実施において使用するためのシステムおよびキットが提供される。本発明のシステムおよびキットは上述したような本発明の電気化学的試験片を少なくとも備えている。さらに、本発明のシステムおよびキットは生理学的サンプルを得るための手段を備えることができる。例えば、この生理学的サンプルが血液である場合に、本発明のシステムおよびキットは、指を突き刺すためのランセット、ランセット作動手段等のような、血液サンプルを得るための手段をさらに備えることができる。加えて、本発明のシステムおよびキットは、例えば、標準化した濃度のグルコースを含有しているグルコース対照溶液等の、対照溶液を含むことができる。特定の実施形態において、上記のシステムおよびキットはさらにサンプル供給の後に各電極により電気化学的信号を検出して当該検出した信号をサンプル中の分析物の量に関係付けるための、上述したような、メーター器具も備えている。さらに、上記のシステムおよびキットは生理学的サンプル中の分析物濃度の決定において本発明の試薬試験片を使用するための各命令または使用説明を備えることができる。これらの使用説明はパッケージ、ラベル・インサート、各キット内に存在している各容器等の１個以上の上に存在させることができる。
【００３２】
本発明は各試験片が多数回の使用を可能にするという点において明らかな改善を提供する。従って、本発明は廃棄物を減少する点において試験片のさらに高い効率的な使用およびコストの節約を提供する。加えて、本発明は単一の試験片による一定区画の分析物に対して試験を行なう機会を提供する。従って、本発明は当該技術分野において明らかな貢献を示している。
【００３３】
個々の公告または特許が特定的におよび個別に参考文献として含まれていることが示されているように、本明細書において引用されている全ての公告および特許は本明細書に参考文献として含まれる。これらのいずれの公告の引用もその出願日前のその開示に対応しており、本発明がこれら先行発明による公告よりも先立つ権利が与えられないという認証として解釈すべきではない。
【００３４】
以上において、本発明をその理解を明らかにするための図示および実施例により幾分詳細に説明したが、本発明の教示に鑑みて、本明細書における特許請求の範囲に記載されている本発明の範囲および趣旨から逸脱することなく特定の変形および変更をこれらの図示および実施例に対して行なうことが可能であることが当該技術分野における通常の熟練者において容易に明らかである。
【００３５】
本発明の実施態様は以下の通りである。
（１）前記試験片が２個乃至２５個の反応領域を備えている請求項１に記載の電気化学的試験片。
（２）前記反応領域のそれぞれが同一の試薬組成物を収容している請求項１または実施態様（１）に記載の電気化学的試験片。
（３）前記反応領域の内の少なくとも２個が異なる試薬組成物を収容している請求項１または実施態様（１）に記載の電気化学的試験片。
（４）前記反応領域のそれぞれが当該反応領域と前記試験片の外部環境との間において流体を介して連絡するための固有の入口チャンネルを有している請求項１および実施態様（１）乃至実施態様（３）のいずれかに記載の電気化学的試験片。
（５）前記反応領域の内の少なくとも２個が当該反応領域と前記試験片の外部環境との間において流体を介して連絡するための単一の入口チャンネルを形成するために併合しているそれぞれの流体入口チャンネルを有している請求項１および実施態様（１）乃至実施態様（４）のいずれかに記載の電気化学的試験片。
（６）前記試験片がメーターの中に存在している請求項１および実施態様（１）乃至実施態様（５）のいずれかに記載の電気化学的試験片。
【００３６】
【発明の効果】
従って、本発明によれば、生理学的サンプル中の分析物濃度を決定するための改善された電気化学的試験片およびその使用方法が提供できる。
【図面の簡単な説明】
【図１】従来技術による電気化学的試験片の概略図である。
【図２】本発明による電気化学的試験片の概略図である。
【図３】本発明による電気化学的試験片の概略図である。
【図４】本発明による電気化学的試験片の概略図である。
【図５】使用における本発明による電気化学的試験片の概略図である。
【符号の説明】
２０　電気化学的試験片
２２　チャンネル
【図１】
2004053363.tif 000003
【図２】
2004053363.tif 000004
【図３】
2004053363.tif 000005
【図４】
2004053363.tif 000006
【図５】
2004053363.tif 000007